(57)【要約】【課題】音声を録音した時刻と筆記データが得られた時刻との時間差を考慮した音声を再生する。【解決手段】音声を入力する音声入力装置５と、記録媒体に記録された画像の座標情報を入力する座標情報入力装置３と、音声入力装置２によって入力された音声を表す音声データ並びに座標情報入力装置３によって入力された座標情報を時刻とともに蓄積する蓄積手段および画像の位置を入力する位置入力手段４１とを備える同期入出力端末４と、位置入力手段４１によって入力された位置に基づいて音声データを出力する音声出力装置５とを備え、同期入出力端末４は、音声データを音声出力装置５によって出力する場合に、位置入力手段４１によって入力された画像の位置に対応する音声データより所定時間前の音声データを出力するように音声出力装置５を制御する制御手段を備える。【選択図】  図１
2005322168.tif 000002
【特許請求の範囲】
【請求項１】
音声を入力する音声入力装置と、
記録媒体に記録された画像の座標情報を入力する座標情報入力装置と、
前記音声入力装置によって入力された音声を表す音声データ並びに座標情報入力装置によって入力された前記座標情報を時刻とともに蓄積する蓄積手段及び前記画像の位置を入力する位置入力手段を有する同期入出力端末と、
前記位置入力手段によって入力された位置に応じて音声データを出力する音声出力装置とを備え、
前記同期入出力端末は、前記音声データを前記音声出力装置によって出力する場合に、前記位置入力手段によって入力された前記画像の位置に対応する音声データより所定時間前の音声データを出力するよう前記音声出力装置を制御する制御手段を備えたこと
を特徴とする同期入出力端末システム。
【請求項２】
前記蓄積手段は、
前記音声入力手装置によって入力された音声データを蓄積する音声データ蓄積部と、
前記音声データ蓄積部によって音声データが格納された格納時刻及び格納アドレスを対応付けて蓄積する音声データアドレス蓄積部と、
前記音声入力装置によって入力された入力時刻及び座標情報を対応付けて蓄積する座標情報蓄積部とを備え、
前記制御手段は、
前記位置入力手段によって入力された前記画像の位置に基づいて前記座標情報蓄積部から対応する入力時刻を検索する入力時刻検索部と、
前記入力時刻検索部によって検索された入力時刻から音声データを再生する再生開始時刻を計算する再生開始時刻計算部と、
前記再生開始時刻計算部によって計算された再生開始時刻に基づいて、前記音声データアドレス蓄積部から対応する音声データの格納アドレスを取得する音声データ格納アドレス取得部と、
前記音声データ格納アドレス取得部によって取得された前記格納アドレスに基づいて前記音声データ蓄積部から対応する音声データを読み出す音声データ読み出し部とを備え、
前記音声出力装置は、前記音声データ読み出し部によって読み出された前記音声データを出力すること
を特徴とする請求項１記載の同期入出力端末システム。
【請求項３】
同期入出力端末は、前記座標情報蓄積部に蓄積された座標情報に基づいて前記記録媒体に記録された画像を表示する表示部を備え、
前記制御手段は、前記再生開始時刻計算部によって計算された再生開始時刻に基づいて座標情報を検索するように前記入力時刻検索部を制御する座標位置表示制御部を備え、
前記座標位置表示制御部は、前記入力時刻検索部によって検索された座標情報を前記表示部に表示するように制御すること
を特徴とする請求項２記載の同期入出力端末システム。
【請求項４】
同期入出力端末は、
前記位置入力手段によって入力された画像の位置に基づいて座標情報を取得する座標情報取得部と、
前記座標情報取得部によって取得された座標情報に基づいて前記座標情報蓄積部に蓄積された座標情報のうち近隣の座標情報を取得する近隣座標情報取得部とを備え、
前記入力時刻検索部は、前記近隣の座標情報に基づいて前記座標情報蓄積部から対応する入力時刻を検索すること
を特徴とする請求項２または３記載の同期入出力端末システム。
【請求項５】
前記同期入出力端末は、
時刻を取得する端末時刻取得手段と、
前記端末時刻取得手段によって取得された時刻に基づいて前記音声データ蓄積部に蓄積する音声データの格納アドレスを前記音声データアドレス蓄積部に蓄積する音声データ格納制御手段とを備えたこと
を特徴とする請求項２から４のいずれか１項に記載の同期入出力端末システム。
【請求項６】
前記座標情報入力装置は、
時刻を取得する装置時刻取得手段と、
前記装置時刻取得手段によって取得された装置時刻と前記端末時刻取得手段によって取得された端入時刻との時間差を計測する時間差計測手段と、
前記時間差計測手段によって計測された時間差に基づいて前記装置時刻を修正する時刻修正手段と、
前記時刻修正手段によって修正された修正時刻及び入力された前記座標情報を前記座標情報蓄積部に格納する座標情報格納制御手段とを備えたこと
を特徴とする請求項５記載の同期入出力端末システム。
【請求項７】
前記同期入出力端末は、
音声の録音再生の操作情報を入力する操作情報入力手段と、
前記操作情報入力手段によって入力された操作情報に基づいて前記音声データ格納制御手段及び前記再生開始時刻計算部を制御する音声録音再生制御部とを備えたこと
を特徴とする請求項６記載の同期入出力端末システム。
【請求項８】
前記再生開始時刻計算部は、前記音声データ蓄積部に蓄積された音声データの無声区間と有声区間を判定し、この有声区間に基づき音声データの再生開始時刻を算出すること
を特徴とする請求項２から７のいずれか１項に記載の同期入出力端末システム。
【請求項９】
前記音声データ格納アドレス取得部は、前記再生開始時刻計算部によって計算された時刻、前記音声データ格納制御手段によって音声データが格納された格納時刻、音声データのサンプリングの周期及びデータ量に基づいて格納アドレスを取得すること
を特徴とする請求項４から請求項８までのいずれかに記載の同期入出力端末システム。
【請求項１０】
コンピュータを請求項１から９のいずれか１項に記載の同期入出力端末システムを構成する手段として機能させるための同期入出力プログラム。
【発明の詳細な説明】
【技術分野】
【０００１】
本発明は、同期入出力端末システム、特に、筆記された座標情報を入出力する座標情報入力装置及び音声を入出力する音声入出力装置を備えた同期入出力端末システムに関する。
【背景技術】
【０００２】
従来、ペンで筆記されたストローク情報を用いて文字を認識したり、紙面上に筆記された文字のイメージ情報をスキャナーやカメラを用いて取り込み、そのイメージ情報をもとにして文字を認識する文字認識装置が知られている（例えば特許文献１参照）。
【０００３】
さらに、このような文字認識装置に音声を録音再生する録音再生装置を組み合わせたシステムが考えられている。このシステムは、会議等において音声を連続して録音すると共に、議事録作成メモとして筆記データと音声データとを同期させて記憶し、会議後に筆記データを指示することにより、対応する音声を再生するようになっている。
【特許文献１】特開平８−１６１４３５号公報
【発明の開示】
【発明が解決しようとする課題】
【０００４】
しかしながら、前述の従来技術では、筆記データと音声データとを同期させて記憶させたとしても、筆記データを指示して再生する場合、音声を録音した時刻と筆記データが得られた時刻との時間差が生じるため、前記時間差を考慮した再生がなされていないという問題があった。
【０００５】
本発明は、このような問題を解決するためになされたもので、その目的は、音声を録音した時刻と筆記データが得られた時刻との時間差を考慮した音声を再生できる同期入出力端末システムとそのプログラムの提供にある。
【課題を解決するための手段】
【０００６】
そこで、請求項１記載の同期入出力端末システムは、音声を入力する音声入力装置と、記録媒体に記録された画像の座標情報を入力する座標情報入力装置と、前記音声入力装置によって入力された音声を表す音声データ並びに座標情報入力装置によって入力された前記座標情報を時刻とともに蓄積する蓄積手段及び前記画像の位置を入力する位置入力手段を有する同期入出力端末と、前記位置入力手段によって入力された位置に応じて音声データを出力する音声出力装置とを備え、
前記同期入出力端末は、前記音声データを前記音声出力装置によって出力する場合に、前記位置入力手段によって入力された前記画像の位置に対応する音声データより所定時間前の音声データを出力するよう前記音声出力装置を制御する制御手段を備える。
【０００７】
本発明によれば、位置入力手段によって入力された画像の位置に対応する音声データより所定時間前の音声データを出力するので、音声を録音した時刻と座標情報（筆記データ）が得られた時刻との時間差を考慮した音声を再生できる。
【０００８】
請求項２記載の同期入出力端末システムは、請求項１記載の同期入出力端末システムにおいて、前記蓄積手段は、前記音声入力手装置によって入力された音声データを蓄積する音声データ蓄積部と、前記音声データ蓄積部によって音声データが格納された格納時刻及び格納アドレスを対応付けて蓄積する音声データアドレス蓄積部と、前記音声入力装置によって入力された入力時刻及び座標情報を対応付けて蓄積する座標情報蓄積部とを備え、
前記制御手段は、前記位置入力手段によって、入力された前記画像の位置に基づいて前記座標情報蓄積部から対応する入力時刻を検索する入力時刻検索部と、前記入力時刻検索部によって検索された入力時刻から音声データを再生する再生開始時刻を計算する再生開始時刻計算部と、前記再生開始時刻計算部によって計算された再生開始時刻に基づいて、前記音声データアドレス蓄積部から対応する音声データの格納アドレスを取得する音声データ格納アドレス取得部と、前記音声データ格納アドレス取得部によって取得された前記格納アドレスに基づいて前記音声データ蓄積部から対応する音声データを読み出す音声データ読み出し部とを備え、
前記音声出力装置は、前記音声データ読み出し部によって読み出された前記音声データを出力する。
【０００９】
本発明によれば、画像の位置に基づいて座標情報蓄積部から対応する入力時刻を検索し、検索された入力時刻から音声データを再生する再生開始時刻を計算し、計算された再生開始時刻と対応する音声データの格納アドレスを取得し、この取得された格納アドレスに基づいて、音声データ蓄積部から対応する音声データを読み出して再生するので、音声データを蓄積した後、位置入力手段によって入力された画像の位置に基づいた音声データの再生位置を容易に検索して、検索された音声データを再生することができる。
【００１０】
請求項３記載の同期入出力端末システムは、請求項２記載の同期入出力端末システムにおいて、同期入出力端末は、前記座標情報蓄積部に蓄積された座標情報に基づいて前記記録媒体に記録された画像を表示する表示部を備え、前記制御手段は、前記再生開始時刻計算部によって計算された再生開始時刻に基づいて座標情報を検索するように前記入力時刻検索部を制御する座標位置表示制御部を備え、前記座標位置表示制御部は、前記入力時刻検索部によって検索された座標情報を前記表示部に表示するように制御する。
【００１１】
本発明によれば、検索された座標崎報を表示部に表示するよう制御するので、再生されている音声に同期して座標情報（筆記データ）を表示部に表示することができる。
【００１２】
請求項４記載の同期入出力端末システムは、請求項２または３記載の同期入出力端末システムにおいて、同期入出力端末は、前記位置入力手段によって入力された画像の位置に基づいて座標情報を取得する座標情報取得部と、前記座標情報取得部によって取得された座標情報に基づいて前記座標情報蓄積部に蓄積された座標情報のうち近隣の座標情報を取得する近隣座標情報取得部とを備え、前記入力時刻検索部は、前記近隣の座標情報に基づいて前記座標情報蓄積部から対応する入力時刻を検索する。
【００１３】
本発明によれば、座標情報蓄積部に蓄積された座標情報のうち近隣の座標情報を取得するので、音声データを蓄積した後、位置入力手段によって入力された画像の位置に基づいて正確に座標情報（筆記データ）を特定できる。
【００１４】
請求項５記載の同期入出力端末システムは、請求項２から４のいずれか１項に記載の同期入出力端末システムにおいて、前記同期入出力端末は、時刻を取得する端末時刻取得手段と、前記端末時刻取得手段によって取得された時刻に基づいて前記音声データ蓄積部に蓄積する音声データの格納アドレスを前記音声データアドレス蓄積部に蓄積する音声データ格納制御手段とを備える。
【００１５】
本発明によれば、端末時刻取得手段によって取得された時刻に基づいて音声データ蓄積部に蓄積する音声データの格納アドレスを音声データアドレス蓄積部に蓄積するので、音声データと座標情報（筆記データ）とを同期させて蓄積することができる。
【００１６】
請求項６記載の同期入出力端末システムは、請求項５記載の同期入出力端末システムにおいて、前記座標情報入力装置は、時刻を取得する装置時刻取得手段と、前記装置時刻取得手段によって取得された装置時刻と前記端末時刻取得手段によって取得された端入時刻との時間差を計測する時間差計測手段と、前記時間差計測手段によって計測された時間差に基づいて前記装置時刻を修正する時刻修正手段と、前記時刻修正手段によって修正された修正時刻及び入力された前記座標情報を前記座標情報蓄積部に格納する座標情報格納制御手段とを備える。
【００１７】
本発明によれば、修正時刻及び座標情報を座標情報蓄積部に格納するので、装置時刻と端末時刻とがずれても装置時刻を修正して座標情報を蓄積することができる。
【００１８】
請求項７記載の同期入出力端末システムは、請求項６記載の同期入出力端末システムにおいて、前記同期入出力端末は、音声の録音再生の操作情報を入力する操作情報入力手段と、前記操作情報入力手段によって入力された操作情報に基づいて前記音声データ格納制御手段及び前記再生開始時刻計算部を制御する音声録音再生制御部とを備える。
【００１９】
本発明によれば、操作情報入力手段によって入力された操作情報に基づいて、音声データ格納制御手段及び再生開始時刻計算部を制御しているので、操作情報入力手段によって入力された操作情報に基づいて、音声の録音及び再生の設定を変更することができる。
【００２０】
請求項８記載の同期入出力端末システムは、請求項２から７のいずれか１項に記載の同期入出力端末システムにおいて、前記再生開始時刻計算部は、前記音声データ蓄積部に蓄積された音声データの無声区間と有声区間を判定し、この有声区間に基づき音声データの再生開始時刻を算出する。
【００２１】
本発明によれば、蓄積された音声データの無声区間と有声区間を判定し、有声区間から音声データの再生開始時刻を算出しているので、内容的に意味のある音声始端から音声データを再生することができる。
【００２２】
請求項９記載の同期入出力端末システムは、請求項４から請求項８までのいずれかに記載の同期入出力端末システムにおいて、前記音声データ格納アドレス取得部は、前記再生開始時刻計算部によって計算された時刻、前記音声データ格納制御手段によって音声データが格納された格納時刻、音声データのサンプリングの周期及びデータ量に基づいて格納アドレスを取得する。
【００２３】
本発明によれば、格納時刻及び音声データのサンプリングの周期に基づいて記録開始時のデータ量を求め、この求めたデータ量から格納アドレスを取得しているので、音声データアドレス蓄積部が有する格納時刻及び格納アドレスを対応付けたデータの量を大幅に削減することができる。
【００２４】
以上の同期入出力端末システムは、コンピュータとプログラムによっても実現できる。すなわち、コンピュータを請求項１から９のいずれか１項に記載の同期入出力端末システムを構成する手段として機能させるためのプログラムをコンピュータ読み取り可能な記録媒体に記録することやネットワークを通して提供すればコンピュータによって実施可能である。前記記録媒体としては、例えばフレキシブルディスクや、ＭＯ、ＲＯＭ、メモリカード、ＣＤ、ＤＶＤ、リムーバルディスク等が挙げられる。
【発明の効果】
【００２５】
以上のように本発明の同期入出力端末システムとそのプログラムによれば音声を録音した時刻と筆記データが得られた時刻との時間差を考慮した音声を再生できる。
【発明を実施するための最良の形態】
【００２６】
本発明の実施の形態について図面を参照しながら説明する。
【００２７】
（実施の形態１）
図１は本発明の一実施の形態に係る同期入出力端末システムの概略構成図であり、図２及び図３は同期入出力端末システムの構成を示すブロック図である。
【００２８】
図１に示された同期入出力端末システム１は、音声を入力する音声入力装置２と、記録媒体６に記録された画像の座標情報を入力する座標情報入力装置３と、音声入力装置２によって入力された音声を表す音声データ並びに座標情報入力装置３によって入力された座標情報を時刻とともに蓄積する後述の蓄積手段及び画像の位置を入力する位置入力手段４１を有する同期入出力端末４と、位置入力手段４１によって入力された画像の位置に応じて音声データを出力する音声出力装置５とを備えている。音声入力装置２はマイクによって構成され、音声出力装置５はスピーカによって構成されている。
【００２９】
例えば、利用者は、会議や講義等において音声入力装置２を用いて音声を連続して録音すると共に、座標情報入力手段３１を用いて議事録作成メモを取る。このとき、利用者が記録媒体６（用紙）に筆記することにより座標情報（筆記データ）が、座標情報入力装置３によって入力されるようになっている。また、座標情報入力装置３は、タブレットなどのポインティングデバイスによって構成され、座標情報入力装置３上に利用者がペン型の座標情報入力手段３１を用いて記録媒体６を介して筆記することにより座標情報（筆記データ）が、座標情報入力装置３によって入力されるようになっている。
【００３０】
同期入出力端末４は、ＰＣ（Ｐｅｒｓｏｎａｌ Ｃｏｍｐｕｔｅｒ）によって構成され、図２に示すように、音声データを音声出力装置５によって出力する場合に、位置入力手段４１によって入力された画像の位置に対応する音声データより所定時間前の音声データを出力するよう音声出力装置５を制御する制御手段（後述する）を備えている。
【００３１】
蓄積手段は、メモリを構成し、図２に示すように、音声入力装置２によって入力された音声データを蓄積する音声データ蓄積部１０と、音声データ蓄積部１０によって音声データが格納された格納時刻及び格納アドレスを対応付けて蓄積する音声データアドレス蓄積部１１と、音声入力装置２によって入力された入力時刻と座標情報が入力された時刻の同期をとった時刻、及び座標情報を対応付けて蓄積する座標情報蓄積部１２とを備えている。
【００３２】
例えば、音声データ蓄積部１０は、会議や講義等における音声データをリアルタイムで連続して蓄積するようになっている。また、音声データは、無圧縮のＰＣＭ形式に対応したデータや、ＭＰ３に準拠して符号化されたデータなどである。ここで、音声データアドレス蓄積部１１によって蓄積された格納時刻及び格納アドレスを対応付けたデータの一例を表１に示す。格納時刻は、音声データが格納アドレスに蓄積されたときの時刻であり、時刻Ｔｎ（ｎは自然数）で表す。格納アドレスは、音声データが格納時刻の時点で蓄積されたときの記憶領域を示すアドレスであり、アドレスｎ（ｎは自然数）で表す。尚、表１に示したデータには一定時間間隔で格納時刻及び格納アドレスを対応付けて蓄積される様にしてもよい。
【００３３】
【表１】
2005322168.tif 000003
【００３４】
音声データ蓄積部１０は、会議や講義等における音声データをリアルタイムで連続して蓄積している。しかしながら、録音の一時停止や装置不具合により、音声データの格納アドレスから求められる録音時刻と実際に録音した時刻がずれることがある。このように録音時刻が大きくずれる場合には、格納時刻と格納アドレスを音声データアドレス蓄積部１１に設定しなおす必要がある。ここで、音声データを蓄積する速度（または、音声データのサンプリングの周期）を蓄積速度ｒａｔｅとして表す。また、時間的な誤差を許容するための閾値を閾値ｔｈ、音声データを現在蓄積している時刻を時刻ｔnow及び音声データの蓄積を開始した時刻を時刻ｔstart、さらに、時刻ｔnowに蓄積する格納アドレスをアドレスｐnow及び時刻ｔstartに蓄積した格納アドレスをアドレスｐstartとして表す。例えば、格納時刻のずれの有無を（１）式を用いて判定するようになっている。音声データアドレス蓄積部１１は、（１）式の条件式が満たさないとき、新たな開始時刻である現在時刻と現在音声データ蓄積部１０に蓄積している音声データアドレスｐnowを音声データアドレス蓄積部１１に格納するようになっている。
【００３５】
ｔnow−ｔｈ＜ｔstart＋ｒａｔｅ／（８＊（Ｐnow−ｔstart））＜ｔnow＋ｔｈ    （１）
尚、ここでは、アドレスｐnow、アドレスｐstartの単位はバイトとし、また、蓄積速度ｒａｔｅの単位は毎秒１ビットとするが、本発明の各単位においては限定されることはない。
【００３６】
ここで、座標情報蓄積部１２によって蓄積された入力時刻及び座標情報を対応付けたデータの一例を表２に示す。ところで、同期入出力端末システム１を利用する利用者が仮に、座標情報入力手段３１及び記録媒体６を用いて会議や講義等についてのメモを取って筆記していたとする。このとき、座標情報入力手段３１は、記録媒体６（座標情報入力装置３）に対する位置に応じて、記録媒体６に記録された文字や画像などの位置を表す座標情報（筆記データ）を入力するようになっている。座標情報は、例えば、図９（Ａ）に示すように位置座標（ｘｐｎ，ｙｐｎ）（ｎは自然数）で表される。また、入力時刻は、位置座標が入力されたときの時刻である。尚、表１に示した格納時刻と表２に示した入力時刻とが、それぞれ同一時刻であり、すなわち格納時刻と入力時刻とを同期させて格納アドレス及び座標情報が蓄積されるようにしてもよい。
【００３７】
【表２】
2005322168.tif 000004
【００３８】
制御手段は、位置入力手段４１によって、入力された画像の位置に基づいて座標情報蓄積部１２から対応する入力時刻を検索する入力時刻検索部１３と、入力時刻検索部１３によって検索された入力時刻から音声データを再生する再生開始時刻を計算する再生開始時刻計算部１４と、再生開始時刻計算部１４によって計算された再生開始時刻に基づいて、音声データアドレス蓄積部１１から対応する音声データの格納アドレスを取得する音声データ格納アドレス取得部１５と、音声データ格納アドレス取得部１５によって取得された格納アドレスに基づいて、音声データ蓄積部１０から対応する音声データを読み出す音声データ読み出し部１６と、を有し、音声出力装置５は、音声データ読み山し部１６によって読み出された音声データを出力する。
【００３９】
例えば、利用者が会議や講義等を聴き終わったときなどに会議や講義の内容を確認するため、メモを記録したデータに基づいて位置入力手段４１を介して画像の位置が入力される。このとき、位置入力手段４１によって入力された画像の位置が、位置座標（ｘｐ２，ｙｐ２）であったとき、入力時刻検索部１３は、表２に示したデータに基づいて時刻Ｔ２を検索するようになっている。また、時刻Ｔ２から所定時間前の時刻が時刻Ｔ１であったとき、再生開始時刻計算部１４は、入力時刻検索部１３が検索した時刻Ｔ２であれば、時刻Ｔ２から所定時間を減算することにより、時刻Ｔ１を計算するようになっている。音声データ読み出し部１６は、表１に示したデータに基づいて、再生開始時刻計算部１４が計算した時刻Ｔ１と対応するアドレス１を取得し、取得したアドレス１から得られる音声データを読み出すようになっている。尚、利用者が会議や講義等の時間の中で要所となる言葉などを聴いた直後の音声を録音した時刻と、利用者がメモを取ったときの時刻、すなわち座標情報（筆記データ）が得られた時刻との時間差が生じるため、所定時間には、この時間差となる時間を予め設定しておくのが望ましい。
【００４０】
同期入出力端末４は、図３に示されたように、位置入力手段４１によって入力された画像の位置に基づいて座標情報を取得する座標情報取得部４２と、座標情報取得部４２によって取得された座標情報に基づいて座標情報蓄積部１２に蓄積された座標情報のうち近隣の座標情報を取得する近隣座標情報取得部４３とをさらに備え、入力時刻検索部１３は、近隣の座標情報に基づいて座標情報蓄積部１２から対応する入力時刻を検索する。
【００４１】
具体例としては、利用者が会議や講義等を聴き終わったときなどに会議や講義の内容を確認するため、利用者が位置入力手段４１を介してクリックなとすることにより、図９（Ｂ）に示すように入力座標（ｘｃ，ｙｃ）が座標情報取得部４２によって取得される。ここで、近隣座標情報取得部４３は、座標情報蓄積部１２に蓄積された位置座標（ｘｐｎ，ｙｐｎ）のうちの何れかと、入力座標（ｘｃ，ｙｃ）との距離が最短となる位置座標、すなわち近隣の座標情報を取得する。例えば、位置座標と入力座標との距離を距離Ｄとして表せば、近隣座標情報取得部４３は、下記（２）式で算出される距離Ｄの値が最も小さくなる位置座標を検索して取得している。
【００４２】
【数１】
2005322168.tif 000005
【００４３】
同期入出力端末４は、時刻を取得する端末時刻取得手段１９と、端末時刻取得手段１９によって取得された時刻に基づいて、音声データ蓄積部１０に蓄積する音声データの格納アドレスを音声データアドレス蓄積部１１に蓄積する音声データ格納制御手段２０とを備えている。
【００４４】
座標情報入力装置３は、タブレットを構成し、時刻を取得する装置時刻取得手段３２と、装置時刻取得手段３２によって取得された装置時刻と端末時刻取得手段１９によって取得された端末時刻との時間差を計測する時間差計測手段３３と、時間差計測手段３３によって計測された時間差に基づいて装置時刻を修正する時刻修正手段３４と、時刻修正手段３４によって修正された修正時刻及び座標情報入力手段３１によって入力された座標情報を座標情報蓄積部１２に格納する座標情報格納制御手段３５とを備えている。尚、座標情報入力手段３１によって入力された座標情報を一時的に蓄積する座標情報一時蓄積部３６を設けてもよい。
【００４５】
前記時刻修正は装置時刻取得手段３２により得られた時刻と端末時刻取得手段１９により得られた時刻とのずれを修正するために、座標情報蓄積部１２に蓄積される座標情報時刻を修正する。
【００４６】
座標情報入力装置３から同期入出力端末４へ座標情報を送る時等に働き、座標情報入力装置３における現在時刻をＴｃ、同期入出力端末４における現在時刻をＴｔとする場合、時刻修正手段３４により座標情報の時刻ＴｉはＴ＝Ｔｉ−Ｔｃ＋Ｔｔと修正され、座標情報の時刻はＴとして座標情報蓄積部１２に蓄積される。
【００４７】
同期入出力端末４は、音声の録音再生の操作情報を入力する操作情報入力手段２１と、操作情報入力手段２１によって入力された操作情報に基づいて音声データ格納制御手段２０と再生開始時刻計算部１４とを制御する音声録音再生制御部２２とを備えている。
【００４８】
再生開始時刻計算部１４は、音声データ蓄積部１０に蓄積された音声データの無声区間と有声区間を判定する機能を有する。そして、前記有声区間から音声データの再生開始時刻を求める。無声区間と有声区間の判定方法は公知であり、例えば、「音響・音声工学」（古井貞熙、近代科学社、１９９２）がある。以下、音圧に基づく処理について説明する。
【００４９】
音声データ蓄積部１０は、音声データに加えて、音声データから分析時間毎に求められる平均音圧を示す平均データを蓄積するようになっている。
【００５０】
図１０は、分析時間毎に求められた平均音圧のデータのグラフである。
【００５１】
例えば、音声データ蓄積部１０は、図１０に示したように、分析時間毎、すなわち、区間Ａ、区間Ｂ、区間Ｃ、及び以降などから求められた平均音圧のデータを蓄積するようになっている。尚、平均音圧は、分析時間内の音声データから得られる音圧値を二乗し、二乗して得られたそれぞれの値の平均でもよい。
【００５２】
また、再生開始時刻計算部１４は、音声データ蓄積部１０に蓄積されている平均データが任意の閾値を超えている音声領域を抽出し、入力時刻検索部１３によって検索された時刻に基づいて、前記抽出した音声領域から時刻に対応する音声領域を選択し、この選択した音声領域のなかで平均データが閾値を最初に超えた時刻を出力している。
【００５３】
例えば、入力時刻検索部１３によって検索された時刻が時刻Ｔ２と時刻Ｔ３との間の時刻であったとき、図１０に示したように再生開始時刻計算部１４は、検索された時刻から遡って平均データが閾値を最初に超えた時刻である時刻Ｔ１を出力する。尚、音声領域とは、平均データが閾値を越えている時間を意味する。
【００５４】
また、再生開始時刻計算部１４は、音声データ蓄積部１０に蓄積されている平均データが任意の閾値を超えている音声領域を抽出し、入力時刻検索部１３によって検索された時刻に基づいて、抽出した音声領域から時刻に対応する音声領域を選択し、選択した音声領域のなかで平均データが閾値を最初に超えた時刻より任意時刻前の時刻を出力するようにしてもよい。
【００５５】
さらに、再生開始時刻計算部１４は、音声データ蓄積部１０に蓄積されている平均データが任意の閾値を超えている音声領域を抽出してそれぞれの音声領域を音声領域群にグループ化し、入力時刻検索部１３によって検索された時刻に基づいて、グループ化した音声領域群から時刻に対応する音声領域群を選択し、選択した音声領域群における最前の音声領域のなかで平均データが閾値を最初に超えた時刻を出力するようにしてもよい。
【００５６】
音声領域群は、区間の平均データが所定数連続して閾値を超えていない区間を区切りとして分けられる。例えば、２連続した区間の平均データが閾値を超えていない区間を区切りとすれば、図１０に示すように、区間Ｃ及び区間Ｄ、並びに区間Ｌ及び区間Ｍを区切りとして、音声領域群は、区間Ｅから区間Ｋまで、区間Ｎ及び区間Ｑのように分けられる。このように音声領域群は、区間Ｅから区間Ｋまでであったとし、入力時刻検索部１３によって検索された時刻が区間Ｋに含まれる時刻であったとき、再生開始時刻計算部１４は、検索された時刻から遡って、最前の音声領域のなかで最初の区切りとなった時刻である時刻Ｔ４を出力するようになっている。
【００５７】
また、再生開始時刻計算部１４は、音声データ蓄積部１０に蓄積されている平均データが任意の閾値を超えている音声領域を抽出してそれぞれの音声領域を音声領域群にグループ化し、入力時刻検索部１３によって検索された時刻に基づいて、前記グループ化した音声領域群から時刻に対応する音声領域群を選択し、この選択した音声領域群における最前の音声領域のなかで平均データが閾値を最初に超えた時刻より任意時刻前の時刻を出力するようにしてもよい。
【００５８】
さらに、再生開始時刻計算部１４は、音声データ蓄積部１０に蓄積されている平均データが任意の閾値を超えている音声領域を抽出してそれぞれの音声領域を音声領域群にグループ化し、入力時刻検索部１３によって検索された時刻に基づいて、前記グループ化した音声領域群から時刻に対応する音声領域群を選択し、この選択した音声領域群における最前の音声領域のなかで平均データが閾値を最初に超えた時刻と入力時刻検索部１３によって検索された時刻との任意の内分によって得られた時刻を出力するにしてもよい。
【００５９】
例えば、音声領域群は、区間Ｅから区間Ｋまでであったとし、内分が７分の３とすれば、再生開始時刻計算部１４は、時刻Ｔ１１から遡って、区間Ｅから区間Ｋまでにおける音声領域群の７分の３となる時刻、すなわち時刻Ｔ８を出力する。
【００６０】
また、再生開始時刻計算部１４は、平均データの最大値及び最小値の差分に対する任意の割合から得られた値に最小値を加算した値を閾値とするようになっている。
【００６１】
さらに、再生開始時刻計算部１４は、平均データの最大値及び最小値の差分を任意の時間間隔で取得し、この取得した最大値及び最小値の差分に対する任意の割合から得られた値に最小値を加算した値を閾値とするようにしてもよい。
【００６２】
また、再生開始時刻計算部１４は、平均データの最大値及び平均値の差分を任意の時間間隔で取得し、この取得した最大値及び平均値の差分に対する任意の割合から得られた値に平均値を加算した値を閾値とするようにしてもよい。
【００６３】
また、音声データ格納アドレス取得部１５は、再生開始時刻計算部１４によって計算された時刻、音声データ格納制御手段２０によって音声データが格納された格納時刻、音声データのサンプリングの周期及びデータ量に基づいて格納アドレスを取得するようになっている。
【００６４】
例えば、音声データアドレス蓄積部１１は、録音の開始及び終了の時刻及び格納アドレスを対応付けたデータを有してもよい。ここで、録音の開始並びに終了の時刻及び格納アドレスを対応付けたデータを表３に示す。尚、音声データアドレス蓄積部１１は、表１に示したデータに代えて表３に示したデータを有する。再生開始時刻計算部１４によって計算された時刻が時刻Ｔであったとき、音声データ格納アドレス取得部１５は、記録開始時刻Ｓと時刻Ｔとの差を算出し、この算出した差と音声データのサンプリングの周期とから音声データのデータ量を算出し、音声データの開始アドレスからデータ量まで移動したアドレスを取得する。ここで、音声データ読み出し部１６は音声データ格納アドレス取得部１５が取得したアドレスから音声データを読み出し、音声出力装置５は音声データ読み出し部１６によって読み出された音声データを出力する。
【００６５】
【表３】
2005322168.tif 000006
【００６６】
また、同期入出力端末４は、座標情報蓄積部１２に蓄積された座標情報に基づいて、記録媒体６に記録された画像を表示する表示部４５をさらに有しており、制御手段は、再生開始時刻計算部１４によって計算された再生開始時刻に基づいて、座標情報を検索するよう入力時刻検索部１３を制御する座標位置表示制御部１７を有し、座標位置表示制御部１７は、入力時刻検索部１３によって検索された座標情報を表示部４５に表示するよう制御する。
【００６７】
例えば、図１１に示すように、音声データ蓄積部１０が蓄積した音声データを再生させるとき、再生開始時刻計算部１４が再生させるときの再生開始時刻の格納アドレスを計算し、表１または表３に示したデータから格納時刻を算出し、さらに入力時刻検索部１３は、表２に示したデータから格納時刻と対応する座標情報を検索し、座標位置表示制御部１７は、検索された座標情報を表示部４５に表示する。格納時刻を求めるより具体的な例としては、再生開始時刻計算部１４は、再生させるときの再生時刻と表１に示したデータの時刻Ｔｎとの差が最も小さくなる値ｎを格納時刻として算出する。
【００６８】
図１１は、表示部４５に座標情報を表示した様子の説明図である。
【００６９】
図１１（Ａ）に示すように座標位置表示制御部１７は、座標情報が示す位置に応じてスライダ９８を表示部４５に表示させる。また、座標位置表示制御部１７は、図１１（Ｂ）に示すように、座標情報が示す位置に応じて記録媒体６の周辺にあるＬＥＤ９９を点灯させてもよい。
【００７０】
座標情報入力装置３の動作例について図４を参照しながら説明する。
【００７１】
先ず、座標情報入力手段３１によって座標情報が入力され（Ｓ１）、装置時刻取得手段３２によって装置時刻が取得され（Ｓ２）、座標情報格納制御手段３５が座標情報一時蓄積部３６に座標情報及び装置時刻を一時蓄積する（Ｓ３）。次に、時間差計測手段によって、端末時刻取得手段１９と装置時刻取得手段３２との時間差が計測され（Ｓ４）、時刻修正手段３４によって前記時間差に基づいて座標情報一時蓄積部３６に蓄積されている時刻が修正され（Ｓ５）、座標情報格納制御手段３５によって修正された時刻及び座標情報が座標情報蓄積部１２に蓄積される（Ｓ６）。
【００７２】
次に、同期入出力端末４の動作例について図５を参照しながら説明する。
【００７３】
先ず、位置入力手段４１によって画像の位置が入力され（Ｓ１１）、入力された画像の位置から座標情報取得部４２によって座標情報が取得される（Ｓ１２）。次に、取得された座標情報に基づいて、座標情報蓄積部１２に蓄積された座標情報のうち近隣の座標情報が近隣座標情報取得部４３によって取得される（Ｓ１３）。次に、取得された近隣の座標情報に基づいて入力時刻検索部１３によって座標情報蓄積部１２から対応する入力時刻が検索され（Ｓ１４）、この検索された入力時刻に基づいて再生開始時刻計算部１４によって再生開始時刻が計算される（Ｓ１５）。次に、計算された再生開始時刻に基づいて音声データ格納アドレス取得部１５によって音声データアドレス蓄積部１１から格納アドレスが取得され（Ｓ１６）、この取得された格納アドレスに基づいて音声データ蓄積部１０から音声データ読み出し部１６によって音声データが読み出される（Ｓ１７）。そして、読み出された音声データが音声出力装置５によって出力される（Ｓ１８）。
【００７４】
本実施形態例の同期入出力端末システム１によれば、音声を録音した時刻と筆記データが得られた時刻との時間差を考慮した音声を再生できる。
【００７５】
また、画像の位置に基づいて座標情報蓄積部から対応する入力時刻を検索し、この検索された入力時刻から音声データを再生する再生開始時刻を計算し、計算された再生開始時刻と対応する音声データの格納アドレスを取得し、取得された格納アドレスに基づいて、音声データ蓄積部から対応する音声データを読み出して再生しているので、音声データを蓄積した後、位置入力手段によって入力された画像の位置に基づいた音声データの再生位置を容易に検索して、検索された音声データを再生することができる。
【００７６】
さらに、座標情報蓄積部に蓄積された座標情報のうち近隣の座標情報を取得するため、音声データを蓄積した後、位置入力手段によって入力された画像の位置に基づいて正確に座標情報（筆記データ）を特定できる。
【００７７】
また、端末時刻取得手段によって取得された時刻に基づいて音声データ蓄積部に蓄積する音声データの格納アドレスを音声データアドレス蓄積部に蓄積しているので、音声データと座標情報（筆記データ）とを同期させて蓄積することができる。
【００７８】
さらに、修正時刻及び座標情報を座標情報蓄積部に格納するので、装置時刻と端末時刻とがずれても装置時刻を修正して座標情報を蓄積することができる。
【００７９】
さらに、操作情報入力手段によって入力された操作情報に基づいて、音声データ格納制御手段と再生開始時刻計算部を制御しているので、操作情報入力手段によって入力された操作情報に基づいて音声の録音及び再生の設定を変更することができる。
【００８０】
また、選択した音声領域のなかで平均データが閾値を最初に超えた時刻を出力しているので、音圧が弱い部分を検索し、この検索された音声データの再生開始時刻から再生することができる。
【００８１】
さらに、選択した音声領域のなかで平均データが閾値を最初に超えた時刻より任意時刻前の時刻を出力しているので、音圧が弱い部分を検索し、この検索された音声データの再生開始時刻より任意時刻前の時刻から再生することができる。
【００８２】
また、選択した音声領域群における最前の音声領域のなかで平均データが閾値を最初に超えた時刻を出力しているので、音声領域を単位として再生開始位置を検索し、この検索された音声データの再生開始時刻から再生することができ、これにより、纏まりのある音声の開始時点から利用者に聴かせることができる。
【００８３】
さらに、選択した音声領域群における最前の音声領域のなかで平均データが閾値を最初に超えた時刻より任意時刻前の時刻を出力しているので、音声領域を単位として再生開始位置を検索し、検索された音声データの再生開始時刻より任意時刻前の時刻から再生することができ、これにより、纏まりのある音声の開始時点より任意時刻前の時刻から利用者に聴かせることができる。
【００８４】
また、選択した音声領域群における最前の音声領域のなかで平均データが閾値を最初に超えた時刻と入力時刻検索部によって検索された時刻との任意の内分によって得られた時刻を出力しているので、纏まりのある音声が長時問である場合には、纏まりのある音声の再生時間のうち内分された時刻から利用者に聴かせることができる。
【００８５】
さらに、平均データの最大値及び最小値の差分に対する任意の割合から得られた値に最小値を加算した値を閾値としているので、纏まりのある音声を的確に抽出することができる。
【００８６】
また、取得した最大値及び最小値の差分に対する任意の割合から得られた値に最小値を加算した値を閾値としているので、纏まりのある音声を的確に抽出することができる。
【００８７】
さらに、取得した最大値及び平均値の差分に対する任意の割合から得られた値に平均値を加算した値を閾値としているので、纏まりのある音声を的確に抽出することができる。
【００８８】
また、格納時刻及び音声データのサンプリングの周期に基づいて記録開始時のデータ量を求め、この求めたデータ量から格納アドレスを取得しているので、音声データアドレス蓄積部が有する格納時刻及び格納アドレスを対応付けたデータの量を大幅に削減することができる。
【００８９】
さらに、検索された座標情報を表示部に表示するよう制御しているので、再生されている音声に同期して座標情報（筆記データ）を表示部に表示することができる。
【００９０】
尚、本実施形態例の同期入出力端末システム１は、音声入力装置２、座標情報入力装置３、同期入出力端末４及び音声出力装置５が独立した構成になっているが、これらの装置及び端末の全て及び一部が、一体に構成されていてもよい。
【００９１】
次に、これらの装置及び端末が一体に構成された形態ついて説明する。
【００９２】
（実施形態例２）
図６は本実施形態例に係る同期入出力端末システムの概略構成図であり、図７は同期入出力端末システムの構成を示すブロック図である。
【００９３】
同期入出力端末５１は、図７に示されたように、音声を入力する音声入力手段５２と、記録媒体６に記録された画像の座標情報を入力する座標情報入力手段５３と、音声入力手段５２によって入力された音声を表す音声データ並びに座標情報入力手段５３によって入力された座標情報を時刻とともに蓄積する蓄積手段（後述する）と、画像の位置を入力する位置入力手段９１と、位置入力手段９１によって入力された画像の位置に応じて音声データを出力する音声出力手段５５と、を備えている。ここで、音声入力手段５２はマイクによって構成され、音声出力手段５５はスピーカによって構成されており、同期入出力端末５１の内部に設けられている。位置入力手段９１はマウスなどの入力手段でもよく、座標情報入力手段５３で代用するようにしてもよい。
【００９４】
本実施形態例に係る同期入出力端末を構成する構成要素のうち、実施形態例１に係る同期入出力端末システムを構成する構成要素と同一の構成要素は同一の符号を付し、各構成要素の説明を適宜省略した。
【００９５】
同期入出力端末５１は、ＰＣ（Ｐｅｒｓｏｎａｌ Ｃｏｍｐｕｔｅｒ）を構成し、図７に示すように、音声データを音声出力手段５５によって出力する場合に、位置入力手段９１によって入力された画像の位置に対応する音声データより所定時間前の音声データを出力するよう音声出力手段５５を制御する制御手段（後述する）を備えている。
【００９６】
蓄積手段は、メモリを構成し、図７に示したように、音声入力手段５２によって入力された音声データを蓄積する音声データ蓄積部１０と、音声データ蓄積部１０によって音声データが格納された格納時刻及び格納アドレスを対応付けて蓄積する音声データアドレス蓄積部１１と、音声入力手段５２によって入力された入力時刻及び座標情報を対応付けて蓄積する座標情報蓄積部１２とを備えている。
【００９７】
制御手段は、位置入力手段９１によって、入力された画像の位置に基づいて座標情報蓄積部１２から対応する入力時刻を検索する入力時刻検索部１３と、入力時刻検索部１３によって検索された入力時刻から音声データを再生する再生開始時刻を計算する再生開始時刻計算部１４と、再生開始時刻計算部１４によって計算された再生開始時刻に基づいて、音声データアドレス蓄積部１１から対応する音声データの格納アドレスを取得する音声データ格納アドレス取得部１５と、音声データ格納アドレス取得部１５によって取得された格納アドレスに基づいて、音声データ蓄積部１０から対応する音声データを読み出す音声データ読み出し部１６とを備え、音声出力手段５５は音声データ読み出し部１６によって読み出された音声データを出力する。
【００９８】
また、同期入出力端末５１は、座標情報蓄積部１２に蓄積された座標情報に基づいて、記録媒体６に記録された画像を表示する表示手段９５をさらに有しており、制御手段は、再生開始時刻計算部１４によって計算された再生開始時刻に基づいて、座標情報を検索するように入力時刻検索部１３を制御する座標位置表示制御部１７を有し、座標位置表示制御部１７は、入力時刻検索部１３によって検索された座標情報を表示手段９５に表示するよう制御するようになっている。
【００９９】
同期入出力端末５１は、位置入力手段９１によって入力された画像の位置に基づいて、座標情報を取得する座標情報取得部４２と、座標情報取得部４２によって取得された座標情報に基づいて、座標情報蓄積部１２に蓄積された座標情報のうち近隣の座標情報を取得する近隣座標情報取得都４３とをさらに有し、入力時刻検索部１３は近隣の座標情報に基づいて座標情報蓄積部１２から対応する入力時刻を検索するようになっている。
【０１００】
同期入出力端末５１は、時刻を取得する端末時刻取得手段１９と、端末時刻取得手段１９によって取得された時刻に基づいて、音声データ蓄積部１０に蓄積する音声データの格納アドレスを音声データアドレス蓄積部１１に蓄積する音声データ格納制御手段２０とを備えている。
【０１０１】
座標情報入力手段５３は、タブレットを構成し、端末時刻取得手段１９によって取得された時刻に基づいて、座標情報入力手段５３によって入力された座標情報を座標情報蓄積部１２に格納する座標情報格納制御手段３５を備えている。
【０１０２】
同期入出力端末５１は、音声の録音再生の操作情報を入力する操作情報入力手段２１と、操作情報入力手段２１によって入力された操作情報に基づいて、音声データ格納制御手段２０及び再生開始時刻計算部１４を制御する音声録音再生制御部２２とを備える。
【０１０３】
以上のように構成された同期入出力端末５１の動作例について図８を参照しながら説明する。
【０１０４】
先ず、座標情報入力部５３によって座標情報が入力され（Ｓ２１）、端末時刻取得手段１９によって端末時刻が取得され（Ｓ２２）、座標情報及び端末時刻が座標情報格納制御手段３５によって座標情報蓄積部１２に蓄積される（Ｓ２３）。
【０１０５】
次に、音声を再生する場合、位置入力手段９１によって画像の位置が入力され（Ｓ２４）、この入力された画像の位置から座標情報取得部４２によって座標情報が取得される（Ｓ２５）。そして、この取得された座標情報に基づいて、座標情報蓄積部１２に蓄積された座標情報のうち近隣の座標情報が近隣座標情報取得部４３によって取得される（Ｓ２６）。次に、取得された近隣の座標情報に基づいて入力時刻検索部１３によって座標情報蓄積部１２から対応する入力時刻が検索され（Ｓ２７）、この検索された入力時刻に基づいて再生開始時刻計算部１４によって再生開始時刻が計算される（Ｓ２８）。次に、計算された再生開始時刻に基づいて音声データ格納アドレス取得部１５によって音声データアドレス蓄積部１１から格納アドレスが取得される（Ｓ２９）。次に、この取得された格納アドレスに基づいて音声データ蓄積部１０から音声データ読み出し部１６によって音声データが読み出される（Ｓ３０）。そして、この読み出された音声データが音声出力手段５５によって出力される（Ｓ３１）。
【０１０６】
以上の本実施形態例の同期入出力端末５１によれば、音声を録音した時刻と筆記データが得られた時刻との時間差を考慮した音声を再生できる。
【０１０７】
本発明の同期入出力端末システムは、前述した実施形態に係る装置の機能を実現するソフトウェアのプログラムコードを記録したコンピュータ読み取り可能な記録媒体を、コンピュータに供給し、このコンピュータの演算手段が前記記憶媒体に格納されたプログラムコードを読み出し実行することによっても実現できる。この場合、記録媒体から読み出されたプログラムコード自体が上述した実施の形態の機能を実現することになり、このプログラムコードを記憶した記憶媒体、例えばフレキシブルディスク、ＣＤ−ＲＯＭ、ＤＶＤ−ＲＯＭ、ＣＤ−Ｒ、ＣＤ−ＲＷ、ＭＯ、ＨＤＤ等は本発明を構成するものである。
【図面の簡単な説明】
【０１０８】
【図１】実施形態例１に係る同期入出力端末システムの概略構成図。
【図２】実施形態例１に係る同期入出力端末システムの構成を示すブロック図。
【図３】実施形態例１に係る同期入出力端末システムの構成の一部を示すブロック図。
【図４】実施形態例１に係る座標情報入力装置の動作を示すフローチャート。
【図５】実施形態例１に係る同期入出力端末の動作を示すフローチャート。
【図６】実施形態例２に係る同期入出力端末システムの概略構成図。
【図７】実施形態例２に係る同期入出力端末システムの構成を示すブロック図。
【図８】実施形態例２に係る同期入出出端末の動作を示すフローチャート。
【図９】位置座標及び入力座標を示す図。
【図１０】分析時間毎に求められた平均音圧のデータのグラフ。
【図１１】座標情報を表示した様子の説明図。
【符号の説明】
【０１０９】
１…同期入出力端末システム
２…音声入力装置
３…座標情報入力装置
４，５１…同期入出力端末
５…音声出力装置
６…記録媒体
１０…音声データ蓄積部
１１…音声データアドレス蓄積部
１２…座標情報蓄積部
１３…力時刻検索部
１４…再生開始時刻計算部
１５…音声データ格納アドレス取得部
１６…音声データ読み出し部
１７…座標位置表示制御部
１９…端末時刻取得手段
２０…音声データ格納制御手段
２１…操作情報入力手段
２２…音声録音再生制御部
３１…座標情報入力手段
３２…装置時刻取得手段
３３…時間差計測手段
３４…時刻修正千段
３５…座標情報格納制御手段
３６…座標情報一時蓄積部
４１，９１…位置入力手段
４２…座標情報取得部
４３…近隣座標情報取得部
４５…表示部
５２…音声入力手段
５３…座標情報入力手段
５５…音声出力手段
９５…表示手段
９８…スライダ
９９…ＬＥＤ
【図１】
2005322168.tif 000007
【図２】
2005322168.tif 000008
【図３】
2005322168.tif 000009
【図４】
2005322168.tif 000010
【図５】
2005322168.tif 000011
【図６】
2005322168.tif 000012
【図７】
2005322168.tif 000013
【図８】
2005322168.tif 000014
【図９】
2005322168.tif 000015
【図１０】
2005322168.tif 000016
【図１１】
2005322168.tif 000017